【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
回転軸（２５）回りに変位しながら容積を縮小させる圧縮室（Ｖｃ）を形成する圧縮室形成部材（１１、１２）を備えるとともに、低圧流体を吸入する吸入ポート（３０ａ）および外部から吸入された中間圧流体を前記圧縮室（Ｖｃ）にて圧縮過程の流体へ合流させる中間圧吸入ポート（３０ｂ）が設けられた圧縮機であって、
前記圧縮室（Ｖｃ）側から中間圧吸入ポート（３０ｂ）側へ前記流体が逆流することを防止する逆流防止手段（５０）を備え、
前記逆流防止手段（５０）から前記圧縮室（Ｖｃ）へ至る下流側流体通路（５１）は、少なくとも前記回転軸（２５）の回転方向と逆方向に延びる方向成分を有して形成されており、
前記下流側流体通路（５１）は、前記圧縮室形成部材（１２）に形成されているとともに、前記圧縮室形成部材（１２）のうち前記吸入ポート（３０ａ）側に連通して容積が最も大きくなる吸入側の前記圧縮室（Ｖｃ）を形成する壁面に向かう方向成分を有して形成されていることを特徴とする圧縮機。
【請求項２】
回転軸（２５）回りに変位しながら容積を縮小させる圧縮室（Ｖｃ）を形成する圧縮室形成部材（１１、１２）を備えるとともに、外部から吸入された中間圧流体を前記圧縮室（Ｖｃ）にて圧縮過程の流体へ合流させる中間圧吸入ポート（３０ｂ）が設けられた圧縮機であって、
前記圧縮室（Ｖｃ）側から中間圧吸入ポート（３０ｂ）側へ前記流体が逆流することを防止する逆流防止手段（５０）を備え、
前記圧縮室形成部材として、前記回転軸（２５）の回転に伴って変位する可動側圧縮室形成部材（１１）が設けられており、
前記逆流防止手段（５０）から前記圧縮室（Ｖｃ）へ至る下流側流体通路（５１）は、前記回転軸（２５）の中心軸の軸方向から見たときに、前記下流側冷媒通路（５１）の入口部から前記回転軸（２５）の中心軸へ至る線分を線分Ｌ１とし、前記下流側冷媒通路（５１）の入口部から出口部へ至る線分を線分Ｌ２とし、前記回転軸（２５）および前記可動側圧縮室形成部材（１１）の回転方向に線分Ｌ１から線分Ｌ２へ至る角度をαとしたときに、
０°＜α＜１８０°
となるように形成されており、
さらに、前記線分Ｌ２を含み、かつ、前記回転軸（２５）の軸方向に平行な断面において、前記回転軸（２５）の軸方向に延びる線分を線分Ｌ３とし、前記線分Ｌ３と前記線分Ｌ２との間に形成される角度のうち、小さい方の角度をβとしたときに、
０°＜β＜９０°
となるように形成されていることを特徴とする圧縮機。
【請求項３】
前記下流側流体通路（５１）は、前記圧縮室形成部材（１２）に形成されているとともに、前記圧縮室形成部材（１２）のうち低圧流体を吸入する吸入ポート（３０ａ）側に連通する吸入側の前記圧縮室（Ｖｃ）を形成する壁面に向かう方向成分を有して形成されていることを特徴とする請求項２に記載の圧縮機。
【請求項４】
前記下流側流体通路（５１）は、前記回転軸（２５）の軸方向に平行な方向成分を有して形成されていることを特徴とする請求項１ないし３のいずれか１つに記載の圧縮機。
【請求項５】
前記下流側流体通路（５１）の通路断面積が、前記中間圧流体の流れ方向に向かって徐々に拡大していることを特徴とする請求項１ないし４のいずれか１つに記載の圧縮機。
【請求項６】
前記圧縮室形成部材は、前記回転軸（２５）から伝達される回転駆動力によって公転運動するとともに渦巻き状の可動側歯部（１１２）を有する可動スクロール（１１）、および前記可動側歯部（１１２）と噛み合う渦巻き状の固定側歯部（１２２）を有する固定スクロール（１２）を含んで構成されており、
前記圧縮室（Ｖｃ）は、前記可動側歯部（１１２）と前記固定側歯部（１２２）との間に形成されていることを特徴とする請求項１ないし５のいずれか１つに記載の圧縮機。
【請求項７】
前記下流側流体通路（５１）は、前記固定側歯部（１２２）の内部に形成されていることを特徴とする請求項６に記載の圧縮機。
【請求項８】
回転軸（２５）回りに変位しながら容積を縮小させる圧縮室（Ｖｃ）を形成する圧縮室形成部材（１１、１２）を備えるとともに、外部から吸入された中間圧流体を前記圧縮室（Ｖｃ）にて圧縮過程の流体へ合流させる中間圧吸入ポート（３０ｂ）が設けられた圧縮機であって、
前記圧縮室（Ｖｃ）側から中間圧吸入ポート（３０ｂ）側へ前記流体が逆流することを防止する逆流防止手段（５０）を備え、
前記圧縮室形成部材は、前記回転軸（２５）から伝達される回転駆動力によって公転運動するとともに渦巻き状の可動側歯部（１１２）を有する可動スクロール（１１）、および前記可動側歯部（１１２）と噛み合う渦巻き状の固定側歯部（１２２）を有する固定スクロール（１２）を含んで構成されており、
前記圧縮室（Ｖｃ）は、前記可動側歯部（１１２）と前記固定側歯部（１２２）との間に形成されており、
前記逆流防止手段（５０）から前記圧縮室（Ｖｃ）へ至る下流側流体通路（５１）が、少なくとも前記回転軸（２５）の回転方向と逆方向に延びる方向成分を有して形成されており、
前記下流側流体通路（５１）は、前記固定側歯部（１２２）の内部に形成されていることを特徴とする圧縮機。
【請求項９】
前記流体は、二酸化炭素であることを特徴とする請求項１ないし８のいずれか１つに記載の圧縮機。
【手続補正２】
【補正対象書類名】明細書
【補正対象項目名】００１６
【補正方法】変更
【補正の内容】
【００１６】
本発明は、上記目的を達成するために案出されたもので、請求項１に記載の発明では、回転軸（２５）回りに変位しながら容積を縮小させる圧縮室（Ｖｃ）を形成する圧縮室形成部材（１１、１２）を備えるとともに、低圧流体を吸入する吸入ポート（３０ａ）および外部から吸入された中間圧流体を圧縮室（Ｖｃ）にて圧縮過程の流体へ合流させる中間圧吸入ポート（３０ｂ）が設けられた圧縮機であって、
圧縮室（Ｖｃ）側から中間圧吸入ポート（３０ｂ）側へ流体が逆流することを防止する逆流防止手段（５０）を備え、逆流防止手段（５０）から圧縮室（Ｖｃ）へ至る下流側流体通路（５１）は、少なくとも回転軸（２５）の回転方向と逆方向に延びる方向成分を有して形成されており、
下流側流体通路（５１）は、圧縮室形成部材（１２）に形成されているとともに、圧縮室形成部材（１２）のうち吸入ポート（３０ａ）側に連通して容積が最も大きくなる吸入側の圧縮室（Ｖｃ）を形成する壁面に向かう方向成分を有して形成されていることを特徴とする。
【手続補正３】
【補正対象書類名】明細書
【補正対象項目名】００１８
【補正方法】変更
【補正の内容】
【００１８】
従って、高圧流体を吐出する吐出ポートに連通する吐出側の圧縮室（Ｖｃ）内の高圧流体の有する熱が、圧縮室形成部材（１１、１２）を介して、低圧流体を吸入する吸入ポートに連通する吸入側の圧縮室（Ｖｃ）へ流入する流体へ伝熱されてしまうことを抑制して、圧縮機の体積効率の悪化を抑制することができる。
また、請求項２に記載の発明では、回転軸（２５）回りに変位しながら容積を縮小させる圧縮室（Ｖｃ）を形成する圧縮室形成部材（１１、１２）を備えるとともに、外部から吸入された中間圧流体を圧縮室（Ｖｃ）にて圧縮過程の流体へ合流させる中間圧吸入ポート（３０ｂ）が設けられた圧縮機であって、
圧縮室（Ｖｃ）側から中間圧吸入ポート（３０ｂ）側へ流体が逆流することを防止する逆流防止手段（５０）を備え、
圧縮室形成部材として、回転軸（２５）の回転に伴って変位する可動側圧縮室形成部材（１１）が設けられており、
逆流防止手段（５０）から圧縮室（Ｖｃ）へ至る下流側流体通路（５１）は、回転軸（２５）の中心軸の軸方向から見たときに、下流側冷媒通路（５１）の入口部から回転軸（２５）の中心軸へ至る線分を線分Ｌ１とし、下流側冷媒通路（５１）の入口部から出口部へ至る線分を線分Ｌ２とし、回転軸（２５）および可動側圧縮室形成部材（１１）の回転方向に線分Ｌ１から線分Ｌ２へ至る角度をαとしたときに、
０°＜α＜１８０°
となるように形成されており、
さらに、線分Ｌ２を含み、かつ、回転軸（２５）の軸方向に平行な断面において、回転軸（２５）の軸方向に延びる線分を線分Ｌ３とし、線分Ｌ３と線分Ｌ２との間に形成される角度のうち、小さい方の角度をβとしたときに、
０°＜β＜９０°
となるように形成されていること特徴とする。
これによれば、請求項１に記載の発明と同様の効果を得ることができる。
【手続補正４】
【補正対象書類名】明細書
【補正対象項目名】００１９
【補正方法】変更
【補正の内容】
【００１９】
また、上記特徴の圧縮機は、具体的に、圧縮室形成部材が、回転軸（２５）から伝達される回転駆動力によって公転運動するとともに渦巻き状の可動側歯部（１１２）を有する可動スクロール（１１）、および可動側歯部（１１２）と噛み合う渦巻き状の固定側歯部（１２２）を有する固定スクロール（１２）を含んで構成されており、圧縮室（Ｖｃ）が可動側歯部（１１２）と固定側歯部（１２２）との間に形成される、いわゆるスクロール型圧縮機として構成されていてもよい。
また、請求項８に記載の発明では、回転軸（２５）回りに変位しながら容積を縮小させる圧縮室（Ｖｃ）を形成する圧縮室形成部材（１１、１２）を備えるとともに、外部から吸入された中間圧流体を圧縮室（Ｖｃ）にて圧縮過程の流体へ合流させる中間圧吸入ポート（３０ｂ）が設けられた圧縮機であって、
圧縮室（Ｖｃ）側から中間圧吸入ポート（３０ｂ）側へ流体が逆流することを防止する逆流防止手段（５０）を備え、
圧縮室形成部材は、回転軸（２５）から伝達される回転駆動力によって公転運動するとともに渦巻き状の可動側歯部（１１２）を有する可動スクロール（１１）、および可動側歯部（１１２）と噛み合う渦巻き状の固定側歯部（１２２）を有する固定スクロール（１２）を含んで構成されており、圧縮室（Ｖｃ）は、可動側歯部（１１２）と固定側歯部（１２２）との間に形成されており、
逆流防止手段（５０）から圧縮室（Ｖｃ）へ至る下流側流体通路（５１）が、少なくとも回転軸（２５）の回転方向と逆方向に延びる方向成分を有して形成されており、下流側流体通路（５１）は、前記固定側歯部（１２２）の内部に形成されていることを特徴とする。
これによれば、請求項１に記載の発明と同様の効果を得ることができる。